(57)【要約】  本願実施例はマルチコネクティビティネットワークにおける測位方法、端末装置、及び測位管理機能エンティティを開示し、該測位方法は、端末装置が第１無線アクセス技術（ＲＡＴ）を介して測位を行うことと、該端末装置が第２ＲＡＴで終了するシグナリング接続を介して該端末装置の測位メッセージを測位管理機能エンティティに送信することと、を含む。本願実施例の測位方法、端末装置、及び測位管理機能エンティティは、測位するためのＲＡＴと測位メッセージを送信するためのＲＡＴをデカップリングすることで、測位操作の柔軟性向上により利する。
2021510042.tif 000002
【特許請求の範囲】
【請求項１】
マルチコネクティビティネットワークにおける測位方法であって、
端末装置が第１無線アクセス技術（ＲＡＴ）を介して測位を行うことと、
前記端末装置が第２ＲＡＴで終了するシグナリング接続を介して、前記端末装置の測位メッセージを測位管理機能エンティティに送信することと、を含むことを特徴とする測位方法。
【請求項２】
前記端末装置の測位メッセージは、前記第１ＲＡＴに対応するノードのセルの測位パラメータを含むことを特徴とする請求項１に記載の測位方法。
【請求項３】
前記第１ＲＡＴに対応する前記ノードは、前記マルチコネクティビティネットワークにおける、前記端末装置にサービスを提供するセカンダリノードであることを特徴とする請求項２に記載の測位方法。
【請求項４】
前記端末装置の測位メッセージは更に、前記第２ＲＡＴに対応するノードのセルの測位パラメータを含むことを特徴とする請求項２又は３に記載の測位方法。
【請求項５】
前記第２ＲＡＴに対応する前記ノードは、前記マルチコネクティビティネットワークにおける、前記端末装置にサービスを提供するプライマリノードであることを特徴とする請求項１〜４のいずれか１項に記載の測位方法。
【請求項６】
前記端末装置が第２ＲＡＴで終了するシグナリング接続を介して前記端末装置の測位メッセージを測位管理機能エンティティに送信することは、
前記端末装置が前記プライマリノードの無線リソース制御（ＲＲＣ）層を介して、前記端末装置の測位メッセージを前記測位管理機能エンティティに送信することを含むことを特徴とする請求項５に記載の測位方法。
【請求項７】
前記端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含むことを特徴とする請求項１〜６のいずれか１項に記載の測位方法。
【請求項８】
前記第１ＲＡＴはロングタームエボリューション（ＬＴＥ）であり、前記第２ＲＡＴは新しいエアインタフェース（ＮＲ）であり、又は、
前記第１ＲＡＴは新しいエアインタフェース（ＮＲ）であり、前記第２ＲＡＴはロングタームエボリューション（ＬＴＥ）であることを特徴とする請求項１〜７のいずれか１項に記載の測位方法。
【請求項９】
マルチコネクティビティネットワークにおける測位方法であって、
測位管理機能エンティティが、端末装置が第２無線アクセス技術（ＲＡＴ）で終了するシグナリング接続を介して送信した前記端末装置の測位メッセージを受信することと、
前記測位管理機能エンティティが前記端末装置の測位メッセージに基づいて、前記端末装置に対して測位を行うことと、を含むことを特徴とする測位方法。
【請求項１０】
前記端末装置の測位メッセージは第１ＲＡＴに対応するノードのセルの測位パラメータを含み、前記端末装置は前記第１ＲＡＴを介して測位を行うことを特徴とする請求項９に記載の測位方法。
【請求項１１】
前記第１ＲＡＴに対応する前記ノードは、前記マルチコネクティビティネットワークにおける、前記端末装置にサービスを提供するセカンダリノードであることを特徴とする請求項１０に記載の測位方法。
【請求項１２】
前記端末装置の測位メッセージは更に前記第２ＲＡＴに対応するノードのセルの測位パラメータを含むことを特徴とする請求項１０又は１１に記載の測位方法。
【請求項１３】
前記第２ＲＡＴに対応する前記ノードは、前記マルチコネクティビティネットワークにおける、前記端末装置にサービスを提供するプライマリノードであることを特徴とする請求項９〜１２のいずれか１項に記載の測位方法。
【請求項１４】
前記端末装置の測位メッセージは複数のセルのうちの各セルの測位パラメータを含み、  前記方法は更に、
前記測位管理機能エンティティが前記複数のセルからターゲットセルを選択することを含み、
前記測位管理機能エンティティが前記端末装置の測位メッセージに基づいて前記端末装置に対して測位を行うことは、
前記測位管理機能エンティティが前記ターゲットセルの測位パラメータに基づいて、前記端末装置に対して測位を行うことを含むことを特徴とする請求項９〜１３のいずれか１項に記載の測位方法。
【請求項１５】
前記端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含むことを特徴とする請求項９〜１４のいずれか１項に記載の測位方法。
【請求項１６】
前記第１ＲＡＴはロングタームエボリューション（ＬＴＥ）であり、前記第２ＲＡＴは新しいエアインタフェース（ＮＲ）であり、又は、
前記第１ＲＡＴは新しいエアインタフェース（ＮＲ）であり、前記第２ＲＡＴはロングタームエボリューション（ＬＴＥ）であることを特徴とする請求項９〜１５のいずれか１項に記載の測位方法。
【請求項１７】
端末装置であって、
第１無線アクセス技術（ＲＡＴ）を介して測位を行うことに用いられる測位ユニットと、
第２ＲＡＴで終了するシグナリング接続を介して、前記端末装置の測位メッセージを測位管理機能エンティティに送信することに用いられる送信ユニットと、を備えることを特徴とする端末装置。
【請求項１８】
前記端末装置の測位メッセージは、前記第１ＲＡＴに対応するノードのセルの測位パラメータを含むことを特徴とする請求項１７に記載の端末装置。
【請求項１９】
前記第１ＲＡＴに対応する前記ノードは、マルチコネクティビティネットワークにおける、前記端末装置にサービスを提供するセカンダリノードであることを特徴とする請求項１８に記載の端末装置。
【請求項２０】
前記端末装置の測位メッセージは更に、前記第２ＲＡＴに対応するノードのセルの測位パラメータを含むことを特徴とする請求項１８又は１９に記載の端末装置。
【請求項２１】
前記第２ＲＡＴに対応する前記ノードは、マルチコネクティビティネットワークにおける、前記端末装置にサービスを提供するプライマリノードであることを特徴とする請求項１７〜２０のいずれか１項に記載の端末装置。
【請求項２２】
前記送信ユニットは具体的に、
前記プライマリノードの無線リソース制御（ＲＲＣ）層を介して、前記端末装置の測位メッセージを前記測位管理機能エンティティに送信することに用いられることを特徴とする請求項２１に記載の端末装置。
【請求項２３】
前記端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含むことを特徴とする請求項１７〜２２のいずれか１項に記載の端末装置。
【請求項２４】
前記第１ＲＡＴはロングタームエボリューション（ＬＴＥ）であり、前記第２ＲＡＴは新しいエアインタフェース（ＮＲ）であり、又は、
前記第１ＲＡＴは新しいエアインタフェース（ＮＲ）であり、前記第２ＲＡＴはロングタームエボリューション（ＬＴＥ）であることを特徴とする請求項１７〜２３のいずれか１項に記載の端末装置。
【請求項２５】
測位管理機能エンティティであって、
端末装置が第２無線アクセス技術（ＲＡＴ）で終了するシグナリング接続を介して送信した前記端末装置の測位メッセージを受信することに用いられる受信ユニットと、
前記端末装置の測位メッセージに基づいて前記端末装置に対して測位を行うことに用いられる測位ユニットと、を備えることを特徴とする測位管理機能エンティティ。
【請求項２６】
前記端末装置の測位メッセージは、第１ＲＡＴに対応するノードのセルの測位パラメータを含み、前記端末装置は前記第１ＲＡＴを介して測位を行うことを特徴とする請求項２５に記載の測位管理機能エンティティ。
【請求項２７】
前記第１ＲＡＴに対応する前記ノードは、マルチコネクティビティネットワークにおける、前記端末装置にサービスを提供するセカンダリノードであることを特徴とする請求項２６に記載の測位管理機能エンティティ。
【請求項２８】
前記端末装置の測位メッセージは更に、前記第２ＲＡＴに対応するノードのセルの測位パラメータを含むことを特徴とする請求項２６又は２７に記載の測位管理機能エンティティ。
【請求項２９】
前記第２ＲＡＴに対応する前記ノードは、マルチコネクティビティネットワークにおける、前記端末装置にサービスを提供するプライマリノードであることを特徴とする請求項２５〜２８のいずれか１項に記載の測位管理機能エンティティ。
【請求項３０】
前記端末装置の測位メッセージは複数のセルのうちの各セルの測位パラメータを含み、  前記測位管理機能エンティティは更に、
前記複数のセルからターゲットセルを選択することに用いられる選択ユニットを含み、
前記測位ユニットは具体的に、
前記ターゲットセルの測位パラメータに基づいて、前記端末装置に対して測位を行うことに用いられることを特徴とする請求項２５〜２９のいずれか１項に記載の測位管理機能エンティティ。
【請求項３１】
前記端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含むことを特徴とする請求項２５〜３０のいずれか１項に記載の測位管理機能エンティティ。
【請求項３２】
前記第１ＲＡＴはロングタームエボリューション（ＬＴＥ）であり、前記第２ＲＡＴは新しいエアインタフェース（ＮＲ）であり、又は、
前記第１ＲＡＴは新しいエアインタフェース（ＮＲ）であり、前記第２ＲＡＴはロングタームエボリューション（ＬＴＥ）であることを特徴とする請求項２５〜３１のいずれか１項に記載の測位管理機能エンティティ。
【発明の詳細な説明】
【技術分野】
【０００１】
本願実施例は通信分野に関し、より具体的に、マルチコネクティビティネットワークにおける測位方法、端末装置、及び測位管理機能エンティティに関する。
【背景技術】
【０００２】
測位は通信システムの基本要件であり、５Ｇアーキテクチャでは、新しい測位管理機能（ＬＭＦ、Ｌｏｃａｔｉｏｎ  Ｍａｎａｇｅｍｅｎｔ  Ｆｕｎｃｔｉｏｎ）エンティティが導入され、そして端末の測位メッセージは非アクセス層（ＮＡＳ、Ｎｏｎ−ａｃｃｅｓｓ  ｓｔｒａｔｕｍ）ペイロードメッセージとして無線リソース制御（ＲＲＣ、Ｒａｄｉｏ  Ｒｅｓｏｕｒｃｅ  Ｃｏｎｔｒｏｌ）メッセージに含まれて伝送されるものである。マルチコネクティビティネットワークの場合、ＲＲＣ接続は１つのノードには存在するが、他の１つのノードには必ずしも存在しない。既存技術では、端末は通常、ＲＲＣ接続を有するノードによって使用される無線アクセス技術（ＲＡＴ、Ｒａｄｉｏ  Ａｃｃｅｓｓ  Ｔｅｃｈｎｏｌｏｇｙ）を採用して端末に対して測位し、そして測位メッセージの伝送及びインタラクションをＬＭＦエンティティと行い、そのため、測位操作は柔軟ではない。
【発明の概要】
【発明が解決しようとする課題】
【０００３】
このため、本願実施例は、測位操作の柔軟性向上に利する、マルチコネクティビティネットワークにおける測位方法、端末装置、及び測位管理機能エンティティを提供する。
【課題を解決するための手段】
【０００４】
第１態様はマルチコネクティビティネットワークにおける測位方法を提供し、該測位方法は、端末装置が第１無線アクセス技術（ＲＡＴ）を介して測位を行うことと、該端末装置が第２ＲＡＴで終了するシグナリング接続を介して該端末装置の測位メッセージを測位管理機能エンティティに送信することと、を含む。
【０００５】
測位するためのＲＡＴと測位メッセージを送信するためのＲＡＴをデカップリングすることで、測位操作の柔軟性向上により利する。
【０００６】
１つの可能な実現方式では、該端末装置の測位メッセージは該第１ＲＡＴに対応するノードのセルの測位パラメータを含む。
【０００７】
１つの可能な実現方式では、該第１ＲＡＴに対応する該ノードは、該マルチコネクティビティネットワークにおける、該端末装置にサービスを提供するセカンダリノードである。
【０００８】
セカンダリノードで測位することによって、端末の測位の操作性及び精度の向上に利する。
【０００９】
１つの可能な実現方式では、該端末装置の測位メッセージは更に該第２ＲＡＴに対応するノードのセルの測位パラメータを含む。
【００１０】
１つの可能な実現方式では、該第２ＲＡＴに対応する該ノードは、該マルチコネクティビティネットワークにおける、該端末装置にサービスを提供するプライマリノードである。
【００１１】
プライマリノードで測位メッセージを伝送することによって、端末はセカンダリノードとのＲＲＣ接続がない場合でも、依然としてセカンダリノードのＲＡＴを使用して測位操作を行うことができる。
【００１２】
１つの可能な実現方式では、該端末装置が第２ＲＡＴで終了するシグナリング接続を介して該端末装置の測位メッセージを測位管理機能エンティティに送信することは、該端末装置が該プライマリノードの無線リソース制御（ＲＲＣ）層を介して該端末装置の測位メッセージを該測位管理機能エンティティに送信することを含む。
【００１３】
１つの可能な実現方式では、該端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含む。
【００１４】
１つの可能な実現方式では、該第１ＲＡＴはロングタームエボリューション（ＬＴＥ）であり、該第２ＲＡＴは新しいエアインタフェース（ＮＲ）であり、又は、該第１ＲＡＴは新しいエアインタフェース（ＮＲ）であり、該第２ＲＡＴはロングタームエボリューション（ＬＴＥ）である。
【００１５】
第２態様はマルチコネクティビティネットワークにおける測位方法を提供し、該測位方法は、測位管理機能エンティティが、端末装置が第２無線アクセス技術（ＲＡＴ）で終了するシグナリング接続を介して送信した該端末装置の測位メッセージを受信することと、該測位管理機能エンティティが該端末装置の測位メッセージに基づいて該端末装置に対して測位を行うことと、を含む。
【００１６】
１つの可能な実現方式では、該端末装置の測位メッセージは第１ＲＡＴに対応するノードのセルの測位パラメータを含み、該端末装置は該第１ＲＡＴを介して測位を行う。
【００１７】
１つの可能な実現方式では、該第１ＲＡＴに対応する該ノードは、該マルチコネクティビティネットワークにおける、該端末装置にサービスを提供するセカンダリノードである。
【００１８】
１つの可能な実現方式では、該端末装置の測位メッセージは更に該第２ＲＡＴに対応するノードのセルの測位パラメータを含む。
【００１９】
１つの可能な実現方式では、該第２ＲＡＴに対応する該ノードは、該マルチコネクティビティネットワークにおける、該端末装置にサービスを提供するプライマリノードである。
【００２０】
１つの可能な実現方式では、該端末装置の測位メッセージは複数のセルのうちの各セルの測位パラメータを含み、該方法は更に、該測位管理機能エンティティが該複数のセルからターゲットセルを選択することを含み、該測位管理機能エンティティが該端末装置の測位メッセージに基づいて該端末装置に対して測位を行うことは、該測位管理機能エンティティが該ターゲットセルの測位パラメータに基づいて該端末装置に対して測位を行うことを含む。
【００２１】
１つの可能な実現方式では、該端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含む。
【００２２】
１つの可能な実現方式では、該第１ＲＡＴはロングタームエボリューション（ＬＴＥ）であり、該第２ＲＡＴは新しいエアインタフェース（ＮＲ）であり、又は、該第１ＲＡＴは新しいエアインタフェース（ＮＲ）であり、該第２ＲＡＴはロングタームエボリューション（ＬＴＥ）である。
【００２３】
第３態様は端末装置を提供し、該端末装置は上記の第１態様又は第１態様のいずれかの可能な実現方式における方法を実行することに用いられる。具体的に、該端末装置は、上記の第１態様又は第１態様のいずれかの可能な実現方式における方法を実行するためのユニットを備える。
【００２４】
第４態様は測位管理機能エンティティを提供し、該測位管理機能エンティティは上記の第２態様又は第２態様のいずれかの可能な実現方式における方法を実行することに用いられる。具体的に、該測位管理機能エンティティは、上記の第２態様又は第２態様のいずれかの可能な実現方式における方法を実行するためのユニットを備える。
【００２５】
第５態様は端末装置を提供し、該端末装置はメモリ、プロセッサ、入力インタフェース及び出力インタフェースを備える。メモリ、プロセッサ、入力インタフェース及び出力インタフェースはバスシステムによって互いに接続される。該メモリは命令を記憶することに用いられ、該プロセッサは該メモリに記憶される、上記第１態様又は第１態様のいずれかの可能な実現方式における方法を実行するための命令を実行することに用いられる。
【００２６】
第６態様は測位管理機能エンティティを提供し、該測位管理機能エンティティはメモリ、プロセッサ、入力インタフェース及び出力インタフェースを備える。メモリ、プロセッサ、入力インタフェース及び出力インタフェースはバスシステムによって互いに接続される。該メモリは命令を記憶することに用いられ、該プロセッサは該メモリに記憶される、上記第２態様又は第２態様のいずれかの可能な実現方式における方法を実行するための命令を実行することに用いられる。
【００２７】
第７態様はコンピュータ記憶媒体を提供し、該コンピュータ記憶媒体は、上記第１態様又は第１態様のいずれかの可能な実現方式における方法、又は上記第２態様又は第２態様のいずれかの可能な実現方式における方法を実行するためのコンピュータソフトウェア命令を記憶することに用いられ、該コンピュータソフトウェア命令には上記各態様を実行するために設計されたプログラムが含まれる。
【００２８】
第８態様は、命令を含むコンピュータプログラム製品を提供し、該コンピュータプログラム製品がコンピュータにおいて実行される時、コンピュータは上記第１態様又は第１態様のいずれか１つの選択可能な実現方式における方法、又は上記第２態様又は第２態様のいずれか１つの選択可能な実現方式における方法を実行する。
【００２９】
本願において、端末装置及びＬＭＦエンティティ等の名称は装置又はエンティティそれ自体に対する限定にはならなく、実際の実現では、これらの装置又はエンティティは他の名称で現れてもよい。各装置の機能が本願と類似さえしていれば、本願請求項及びその同等の技術の範囲内に属する。
【００３０】
本願のこれらの態様又は他の態様は以下の実施例の説明においてより簡単明瞭になる。
【図面の簡単な説明】
【００３１】
【図１】図１は本願実施例の１つの応用シーンの模式図を示す。
【図２】図２は本願実施例の５Ｇアーキテクチャにおけるプロトコルスタックの模式的なブロック図を示す。
【図３】図３は本願実施例のマルチコネクティビティネットワークにおける測位方法の模式的なブロック図を示す。
【図４】図４は本願実施例のマルチコネクティビティネットワークにおける測位方法の他の１つの模式的なブロック図を示す。
【図５】図５は本願実施例の端末装置の模式的なブロック図を示す。
【図６】図６は本願実施例の測位管理機能エンティティの模式的なブロック図を示す。
【図７】図７は本願実施例の端末装置の他の１つの模式的なブロック図を示す。
【図８】図８は本願実施例の測位管理機能エンティティの他の１つの模式的なブロック図を示す。
【発明を実施するための形態】
【００３２】
以下は、本願実施例の図面を参照しながら、本願実施例における技術案を明確且つ完全に説明する。
【００３３】
理解されるように、本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ、Ｎｅｗ  Ｒａｄｉｏ）、又は将来の５Ｇシステム等に適用できる。
【００３４】
特に本願実施例の技術案は各種の非直交多元接続技術に基づく通信システム、例えば、スパースコード多元接続（ＳＣＭＡ、Ｓｐａｒｓｅ  Ｃｏｄｅ  Ｍｕｌｔｉｐｌｅ  Ａｃｃｅｓｓ）システム、低密度署名（ＬＤＳ、Ｌｏｗ  Ｄｅｎｓｉｔｙ  Ｓｉｇｎａｔｕｒｅ）システム等に適用でき、勿論、ＳＣＭＡシステム及びＬＤＳシステムは通信分野において他の名称に称されてもよい。更に、本願実施例の技術案は非直交多元接続技術が採用されたマルチキャリア伝送システム、例えば、非直交多元接続技術が採用された直交周波数分割多重化（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチキャリア（ＦＢＭＣ、Ｆｉｌｔｅｒ  Ｂａｎｋ  Ｍｕｌｔｉ−Ｃａｒｒｉｅｒ）、  一般化周波数分割多重化（ＧＦＤＭ、Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルター処理された直交周波数分割多重化（Ｆ−ＯＦＤＭ、Ｆｉｌｔｅｒｅｄ−ＯＦＤＭ）システム等に適用できる。
【００３５】
本願実施例における端末装置は、ユーザ装置（ＵＥ、Ｕｓｅｒ  Ｅｑｕｉｐｍｅｎｔ）、アクセス端末、加入者ユニット、加入者局、移動局、トラバーサー、遠隔局、遠隔端末、モバイルデバイス、ユーザ端末、端末、無線通信装置、ユーザエージェント又はユーザデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続された他の処理装置、車載装置、ウェアラブルデバイス、将来の５Ｇネットワークにおける端末装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願実施例はこれを限定しない。
【００３６】
本願実施例におけるネットワーク装置は、端末装置と通信するための装置であってもよく、該ネットワーク装置はＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンにおける無線コントローラであってもよく、又は、該ネットワーク装置は、中継局、アクセスポイント、車載装置、ウェアラブルデバイス、及び将来の５Ｇネットワークにおけるネットワーク装置又は将来進化するＰＬＭＮネットワークにおけるネットワーク装置等であってもよく、本願実施例はこれを限定しない。
【００３７】
図１は本願の１つの応用シーンの模式図を示し、端末装置１３０の周囲のノードはプライマリノード１１０及び少なくとも１つのセカンダリノード１２０を含む。該少なくとも１つのセカンダリノード１２０はそれぞれプライマリノード１１０に接続してマルチコネクティビティを構成し、そしてそれぞれ端末装置１３０に接続してサービスを提供する。該プライマリノード１１０はＬＴＥネットワークであってもよく、該セカンダリノード１２０はＮＲネットワークであってもよい。又は、該プライマリノード１１０はＮＲネットワークであってもよく、該セカンダリノード１２０はＬＴＥネットワークであってもよい。又は、該プライマリノード１１０及び該セカンダリノード１２０は、いずれもＮＲネットワークである。本願は技術案の応用シーンについては限定しない。端末装置１３０はプライマリノード１１０及びセカンダリノード１２０を介して同時に接続を確立してもよい。端末装置１３０とプライマリノード１１０とが確立した接続はプライマリ接続であり、端末装置１３０とセカンダリノード１２０とが確立した接続はセカンダリ接続である。端末装置１３０の制御シグナリングはプライマリ接続を介して伝送されてもよく、端末装置のデータはプライマリ接続とセカンダリ接続を介して同時に伝送されてもよく、セカンダリ接続のみを介して伝送されてもよい。本願実施例においてプライマリノード１１０は事前設定された条件を満たすセカンダリノード１２０を選択して端末装置１３０のデータを伝送してもよく、これにより、プライマリノード１１０の負荷を更に軽減することができる。例えば、該事前設定された条件はセカンダリノード１２０と端末装置１３０との間のリンク品質がデータ伝送の条件を満たすことであってもよい。
【００３８】
本願実施例において、セカンダリノード１２０はサービス需要とユーザ密度に基づいて柔軟に設定されてもよい。その役割はプライマリノード１１０を補助してデータを分担することであってもよい。セカンダリノード１２０のデプロイは連続でなくてもよく、隣接するセカンダリセルの間に比較的に大きい面積の重複が存在してもよく、本願実施例はこれを限定しない。
【００３９】
本願実施例において、プライマリノードは例えば、マクロセル（Ｍａｃｒｏｃｅｌｌ）であってもよく、セカンダリノードは例えば、マイクロセル（Ｍｉｃｒｏｃｅｌｌ）、ピコセル（Ｐｉｃｏｃｅｌｌ）、フェムトセル（Ｆｅｍｔｏｃｅｌｌ）であってもよいが、本願実施例はこれに限らない。
【００４０】
より具体的に、該プライマリノードはＬＴＥノードであってもよく、該セカンダリノードはＮＲノードであり、該プライマリノードと該セカンダリノードはいずれもＮＲノードであってもよい。理解されるように、本発明実施例はこれに限らず、該プライマリノードは更にＧＳＭネットワーク装置、ＣＤＭＡネットワーク装置等であってもよく、該セカンダリノードもＧＳＭネットワーク装置、ＣＤＭＡネットワーク装置等であってもよく、本願実施例はこれを制限しない。
【００４１】
通信システムには更にコアネットワークノードが含まれてもよい。選択肢として、該コアネットワークノードは５Ｇコアネットワークノード、例えば、アクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）、また例えば、セッション管理機能（ＳＭＦ、Ｓｅｓｓｉｏｎ  Ｍａｎａｇｅｍｅｎｔ  Ｆｕｎｃｔｉｏｎ）であってもよい。選択肢として、該コアネットワークノードは、ＬＴＥネットワークの進化型パケットコア（ＥＰＣ、Ｅｖｏｌｖｅｄ  Ｐａｃｋｅｔ  Ｃｏｒｅ）、例えば、セッション管理機能＋コアパケットゲートウェイ（ＳＭＦ＋ＰＧＷ−Ｃ、Ｓｅｓｓｉｏｎ  Ｍａｎａｇｅｍｅｎｔ  Ｆｕｎｃｔｉｏｎ  ＋  Ｃｏｒｅ  Ｐａｃｋｅｔ  Ｇａｔｅｗａｙ）であってもよい。
【００４２】
ＬＴＥシステムはＲＡＴに関係する測位メカニズム及びＲＡＴと無関係のメカニズムを含む異なる測位メカニズムをサポートしている。ＲＡＴに関係する測位メカニズムは、三角測位メカニズム、例えば、アップリンク到着時間差（ＴＤｏＡ、Ｔｉｍｅ  Ｄｉｆｆｅｒｅｎｃｅ  ｏｆ  Ａｒｒｉｖａｌ）、ダウンリンクＴＤｏＡ、及び比較的に簡単なセル（ｃｅｌｌ）識別子（ＩＤ）測位を含み、ＲＡＴと無関係の測位は、グローバルナビゲーション衛星システム（ＧＮＳＳ、Ｇｌｏｂａｌ  Ｎａｖｉｇａｔｉｏｎ  Ｓａｔｅｌｌｉｔｅ  Ｓｙｓｔｅｍ）を含む。軽量プレゼンテーションプロトコル（ＬＰＰ、Ｌｉｇｈｔｗｅｉｇｈｔ  Ｐｒｅｓｅｎｔａｔｉｏｎ  Ｐｒｏｔｏｃｏｌ）又はＬＰＰａプロトコルが測位メカニズムを支持することに用いられる主なプロトコルである。ＬＰＰ／ＬＰＰａメッセージはＮＡＳの方式で端末からネットワーク側に伝送され、該ネットワーク側は例えば、ゲートウェイモバイルロケーションセンター（ＧＭＬＣ、Ｇａｔｅｗａｙ  Ｍｏｂｉｌｅ  Ｌｏｃａｔｉｏｎ  Ｃｅｎｔｅｒ）であってもよい。該ＬＰＰ／ＬＰＰａメッセージは通常、端末装置の測位メッセージである。
【００４３】
５Ｇシステムでは、ＬＭＦエンティティが導入され、該ＬＭＦは端末装置に対する測位操作を実現することに用いられる。
【００４４】
理解しやすいために、まず、図２を参照しながら、５Ｇアーキテクチャにおけるプロトコルスタックを簡単に説明する。ＵＥと無線アクセスネットワーク（ＲＡＮ、Ｒａｄｉｏ  Ａｃｃｅｓｓ  Ｎｅｔｗｏｒｋ）との間のプロトコル層には、物理  （ＰＨＹ）  層、メディアアクセス制御（ＭＡＣ、Ｍｅｄｉｕｍ  Ａｃｃｅｓｓ  Ｃｏｎｔｒｏｌ）層、無線リンク制御（ＲＬＣ、Ｒａｄｉｏ  Ｌｉｎｋ  Ｃｏｎｔｒｏｌ）、パケットデータ統合プロトコル（ＰＤＣＰ、Ｐａｃｋｅｔ  Ｄａｔａ  Ｃｏｎｖｅｒｇｅｎｃｅ  Ｐｒｏｔｏｃｏｌ）、及びＲＲＣ層が含まれる。ＵＥとＡＭＦとの間のプロトコル層にはＮＡＳ層が含まれ、ＵＥとＬＭＦとの間のプロトコル層にはＬＰＰ層が含まれる。ＬＰＰメッセージはエアインタフェースにおいてＮＡＳのペイロードメッセージとしてＲＲＣメッセージに含まれて伝送されてもよい。
【００４５】
デュアル接続ネットワークでは、ＲＲＣ接続は１つのノードには存在するが、他の１つのノードには必ずしも存在しない。端末は通常、ＲＲＣ接続を有するノードによって使用されるＲＡＴを採用して端末に対して測位し、そして測位メッセージの伝送及びインタラクションをＬＭＦエンティティと行い、そのため、測位操作は柔軟ではない。すなわち、測位するためのＲＡＴと測位メッセージを伝送するためのＲＡＴは束ねられているが、本願実施例の案では、測位するためのＲＡＴと測位メッセージを伝送するためのＲＡＴをデカップリングでき、これにより、柔軟な測位操作が実現される。
【００４６】
図３は本願実施例のマルチコネクティビティネットワークにおける測位方法２００の模式的なブロック図を示す。図３に示すように、該測位方法２００は以下のＳ２１０〜Ｓ２２０を含む。
【００４７】
Ｓ２１０、端末装置は第１無線アクセス技術（ＲＡＴ）を介して測位を行う。
【００４８】
Ｓ２２０、該端末装置は第２ＲＡＴで終了するシグナリング接続を介して該端末装置の測位メッセージを測位管理機能エンティティに送信する。
【００４９】
具体的に、該端末装置はそれぞれ第１ＲＡＴを使用するノード及び第２ＲＡＴを使用するノードとインタラクションを行ってもよい。端末装置の用いるセルの測位パラメータは第１ＲＡＴを使用するノードの下の一部セルの測位パラメータであると考えてもよい。端末装置はエアインタフェースにおいて第２ＲＡＴのシグナリングを使用することによって、端末装置の測位メッセージを測位管理機能エンティティに送信してもよい。例えば、デュアル接続シーンにおいて、端末装置はそれぞれ１つのプライマリノードと１つのセカンダリノードと接続し、該プライマリノードと該セカンダリノードはそれぞれ異なるＲＡＴを使用し、端末装置はセカンダリノードを介して測位を行い、プライマリノードとの間のシグナリング接続を介して端末装置の測位メッセージを測位管理機能エンティティに送信してもよい。
【００５０】
従って、本願実施例のマルチコネクティビティネットワークにおける測位方法は、測位するためのＲＡＴと測位メッセージを送信するためのＲＡＴをデカップリングすることで、測位操作の柔軟性向上により利する。
【００５１】
選択肢として、本願実施例において、該端末装置の測位メッセージは該第１ＲＡＴに対応するノードのセルの測位パラメータを含む。
【００５２】
具体的に、端末装置の測位メッセージがＲＡＴに関係する場合、端末装置は測位に用いるＲＡＴに対応するセルの測位パラメータを測位管理機能エンティティに送信して、測位管理機能エンティティも該セルの測位パラメータを採用して端末装置に対して測位を行うようにする。例えば、デュアル接続シーンにおいて、端末装置はそれぞれ１つのプライマリノードと１つのセカンダリノードと接続し、該プライマリノードと該セカンダリノードはそれぞれ異なるＲＡＴを使用し、そしてプライマリノードは１つのセル、即ち、プライマリセルを有し、セカンダリノードも１つのセル、即ち、セカンダリセルを有し、端末がセカンダリセルの測位パラメータを使用して測位を行う場合、端末装置はプライマリノードのシグナリングを使用してセカンダリセルの測位パラメータを測位管理機能エンティティに送信できる。
【００５３】
選択肢として、本願実施例において、該第１ＲＡＴに対応する該ノードは、該マルチコネクティビティネットワークにおける、該端末装置にサービスを提供するセカンダリノードである。
【００５４】
現在説明しているマルチコネクティビティのアーキテクチャは主に、ＬＴＥ＋ＮＲデュアル接続（ＥＮ−ＤＣ、ＬＴＥ＋ＮＲ  Ｄｕａｌ  Ｃｏｎｎｅｃｔｉｖｉｔｙ）、ＮＲ＋ＬＴＥデュアル接続（ＮＥ−ＤＣ）を含む。ＥＮ−ＤＣにおいては、プライマリノードはＬＴＥを採用し、セカンダリノードはＮＲを採用し、ＬＴＥセルはプライマリセルであり、そしてカバレッジエリアが比較的に大きく、ＮＲセルはセカンダリセルであり、カバレッジエリアが比較的に小さく、そのため、セカンダリセルのｃｅｌｌ  ＩＤを利用して測位を行えば、より高い精度を実現することができる。ＮＥ−ＤＣにおいては、プライマリノードはＮＲを採用し、セカンダリノードはＬＴＥを採用し、ＮＲはプライマリセルであり、そして一部の端末装置がＮＲプライマリセルにおいて測位メカニズムをサポートしない可能性が存在し、そのため、ＬＴＥセカンダリセルを利用して測位を行ってもよく、これにより、測位を遂行できる。
【００５５】
選択肢として、本願実施例において、該端末装置の測位メッセージは更に該第２ＲＡＴに対応するノードのセルの測位パラメータを含む。
【００５６】
すなわち、端末装置は、端末装置の接続する複数の、異なるＲＡＴを使用するノードのセルの測位パラメータを同時に報告してもよい。例えば、端末装置はＮＲセルの測位パラメータとＬＴＥセルの測位パラメータを同時に測位管理機能エンティティに報告してもよい。理解されるように、該各ノードの下のセルは複数ある可能性があり、すなわち、端末装置は複数のセルの測位パラメータを同時に測位管理機能エンティティに送信してもよく、ネットワーク装置はその中から１つのセルの測位パラメータを選択して端末装置に対して測位を行ってもよい。測位管理機能エンティティは各セルのｃｅｌｌ  ＩＤに基づいて選択してもよく、端末装置の測位メッセージにおいて各セルの識別子を個別に運んでもよく、又は測位メッセージにおいて単にプライマリセルとセカンダリセルを記し、具体的にどのセカンダリセルであるかは区別しなくてもよい。
【００５７】
選択肢として、本願実施例において、該第２ＲＡＴに対応する該ノードは、該マルチコネクティビティネットワークにおける、該端末装置にサービスを提供するプライマリノードである。
【００５８】
選択肢として、本願実施例において、該端末装置が第２ＲＡＴで終了するシグナリング接続を介して該端末装置の測位メッセージを測位管理機能エンティティに送信することは、該端末装置が該プライマリノードの無線リソース制御（ＲＲＣ）層を介して該端末装置の測位メッセージを該測位管理機能エンティティに送信することを含む。
【００５９】
デュアル接続ネットワークでは、測位メッセージを伝送するためのＲＲＣ接続はプライマリノードにおいては常に存在し、そこで、端末装置は直接にプライマリノードのシグナリングを介してセカンダリノード上のセルの測位パラメータを測位管理機能エンティティに送信できる。例えば、端末装置はプライマリノードのプライマリセルのＲＲＣ層を介して、セカンダリノードのセカンダリセルの測位パラメータを測位管理機能エンティティに送信してもよい。
【００６０】
プライマリノードで測位メッセージを伝送することによって、端末はセカンダリノードとのＲＲＣ接続がない場合でも、依然としてセカンダリノードのＲＡＴを使用して測位操作を行うことができる。
【００６１】
選択肢として、本願実施例において、該端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含む。
【００６２】
理解されるように、端末装置の測位メッセージは更に他の測位メカニズムにおけるパラメータを含んでもよく、本願実施例はこれを制限しない。
【００６３】
更に理解されるように、本明細書の複数個所では、デュアル接続、そして各接続の下にはセルが１つだけあるのを例として説明しているが、本願実施例はこれに制限されるべきでなく、例えば、各接続の下に複数のセルがあり、プライマリセルはプライマリ接続に属すしかなく、セカンダリ接続はセカンダリセルを含むしかない。
【００６４】
図４は本願実施例のマルチコネクティビティネットワークにおける測位方法３００の模式的なブロック図を示す。図４に示すように、該測位方法３００は以下Ｓ３１０〜Ｓ３２０の一部又は全部の内容を含む。
【００６５】
Ｓ３１０、測位管理機能エンティティは、端末装置が第２無線アクセス技術（ＲＡＴ）で終了するシグナリング接続を介して送信した該端末装置の測位メッセージを受信する。
【００６６】
Ｓ３２０、該測位管理機能エンティティは該端末装置の測位メッセージに基づいて、該端末装置に対して測位を行う。
【００６７】
従って、本願実施例のマルチコネクティビティネットワークにおける測位方法は、測位するためのＲＡＴと測位メッセージを送信するためのＲＡＴをデカップリングすることで、測位操作の柔軟性向上により利する。
【００６８】
選択肢として、本願実施例において、該端末装置の測位メッセージは該第１ＲＡＴに対応するノードのセルの測位パラメータを含み、該端末装置は該第１ＲＡＴを介して測位を行う。
【００６９】
選択肢として、本願実施例において、該第１ＲＡＴに対応する該ノードは、該マルチコネクティビティネットワークにおける、該端末装置にサービスを提供するセカンダリノードである。
【００７０】
選択肢として、本願実施例において、該端末装置の測位メッセージは更に該第２ＲＡＴに対応するノードのセルの測位パラメータを含む。
【００７１】
選択肢として、本願実施例において、該第２ＲＡＴに対応する該ノードは、該マルチコネクティビティネットワークにおける、該端末装置にサービスを提供するプライマリノードである。
【００７２】
選択肢として、本願実施例において、該端末装置の測位メッセージは複数のセルのうちの各セルの測位パラメータを含み、該方法は更に、該測位管理機能エンティティが該複数のセルからターゲットセルを選択することを含み、該測位管理機能エンティティが該端末装置の測位メッセージに基づいて該端末装置に対して測位を行うことは、該測位管理機能エンティティが該ターゲットセルの測位パラメータに基づいて該端末装置に対して測位を行うことを含む。
【００７３】
選択肢として、本願実施例において、該端末装置の測位メッセージは、アップリンク・ダウンリンク到着時間差（ＴＤｏＡ）、グローバルナビゲーション衛星システム（ＧＮＳＳ）、セル識別子（ＩＤ）のうちの少なくとも１つのパラメータを含む。
【００７４】
選択肢として、本願実施例において、該第１ＲＡＴはロングタームエボリューション（ＬＴＥ）であり、該第２ＲＡＴは新しいエアインタフェース（ＮＲ）であり、又は、該第１ＲＡＴは新しいエアインタフェース（ＮＲ）であり、該第２ＲＡＴはロングタームエボリューション（ＬＴＥ）である。
【００７５】
理解されるように、本明細書における「及び／又は」という用語は、単に関連するオブジェクトの関連関係を説明するためのものであり、３つの関係が存在し得ることを表し、例えば、Ａ及び／又はＢという場合、Ａが単独に存在する、ＡとＢが同時に存在する、Ｂが単独に存在する、という３つの状況を表すことができる。また、本明細書における「／」という文字は、一般的に前後の関連オブジェクトが「又は」の関係であることを表す。
【００７６】
理解されるように、測位管理機能エンティティについて説明する測位管理機能エンティティと端末装置との間のインタラクション及び関係特性、機能等は、端末装置の関係特性、機能と対応する。そして関係内容は上記の方法２００において既に詳しく説明され、簡潔のために、ここでは繰り返し説明しない。
【００７７】
更に理解されるように、本願の様々な実施例において、上記各プロセスの番号は実行順序の後先を意味するものではなく、各プロセスの実行順序はその機能と内的論理によって決定されるべきであり、本願実施例の実施プロセスに対して何らの限定となるべきではない。
【００７８】
以上は本願実施例のマルチコネクティビティネットワークにおける測位方法を詳しく説明したが、以下は図５〜図８を参照しながら、本願実施例のマルチコネクティビティネットワークにおける測位装置を説明する。方法実施例で説明した技術的特徴は以下の装置実施例に適用する。
【００７９】
図５は本願実施例の端末装置４００の模式的なブロック図を示す。図５に示すように、該端末装置４００は、
第１無線アクセス技術（ＲＡＴ）を介して測位を行うことに用いられる測位ユニット４１０と、
第２ＲＡＴで終了するシグナリング接続を介して、前記端末装置の測位メッセージを測位管理機能エンティティに送信することに用いられる送信ユニット４２０と、を備える。
【００８０】
従って、本願実施例の端末装置は、測位するためのＲＡＴと測位メッセージを送信するためのＲＡＴをデカップリングすることで、測位操作の柔軟性向上により利する。
【００８１】
理解されるように、本願実施例の端末装置４００は、本願の方法実施例における端末装置に対応することができ、そして端末装置４００における各ユニットの上記及び他の動作、及び／又は機能は、それぞれ図３の方法における端末装置の対応するフローを実現するためのものであり、簡潔のために、ここでは繰り返し説明しない。
【００８２】
図６は本願実施例の測位管理機能エンティティ５００の模式的なブロック図を示す。図６に示すように、該測位管理機能エンティティ５００は、
端末装置が第２無線アクセス技術（ＲＡＴ）で終了するシグナリング接続を介して送信した前記端末装置の測位メッセージを受信することに用いられる受信ユニット５１０と、
前記端末装置の測位メッセージに基づいて前記端末装置に対して測位を行うことに用いられる測位ユニット５２０と、を備える。
【００８３】
従って、本願実施例の測位管理機能エンティティは、測位するためのＲＡＴと測位メッセージを送信するためのＲＡＴをデカップリングすることで、測位操作の柔軟性向上により利する。
【００８４】
理解されるように、本願実施例の測位管理機能エンティティ５００は、本願の方法実施例における測位管理機能エンティティに対応することができ、そして測位管理機能エンティティ５００における各ユニットの上記及び他の動作、及び／又は機能は、それぞれ図４の方法における測位管理機能エンティティの対応するフローを実現するためのものであり、簡潔のために、ここでは繰り返し説明しない。
【００８５】
図７に示すように、本願実施例は更に端末装置６００を提供し、該端末装置６００は図５における端末装置４００であってもよく、該端末装置６００は、図３における方法２００に対応する端末装置の内容を実行することに用いられることができる。該端末装置６００は、入力インタフェース６１０、出力インタフェース６２０、プロセッサ６３０、及びメモリ６４０を含み、該入力インタフェース６１０、出力インタフェース６２０、プロセッサ６３０及びメモリ６４０はバスシステムによって互いに接続されてもよい。該メモリ６４０は、プログラム、命令又はコードを記憶することに用いられる。該プロセッサ６３０は、該メモリ６４０における、入力インタフェース６１０の信号受信を制御し、出力インタフェース６２０の信号送信を制御し、そして前述の方法実施例での動作を遂行するためのプログラム、命令又はコードを実行することに用いられる。
【００８６】
従って、本願実施例の端末装置は、測位するためのＲＡＴと測位メッセージを送信するためのＲＡＴをデカップリングすることで、測位操作の柔軟性向上により利する。
【００８７】
理解されるように、本願実施例において、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは更に如何なる通常のプロセッサ等であってもよい。
【００８８】
該メモリ６４０は読み取り専用メモリ及びランダムアクセスメモリを含んでもよく、そしてプロセッサ６３０に命令及びデータを提供する。メモリ６４０の一部には更に不揮発性ランダムアクセスメモリが含まれてもよい。例えば、メモリ６４０は更に装置タイプの情報を記憶してもよい。
【００８９】
実現過程において、上記方法の各内容はプロセッサ６３０におけるハードウェアの集積論理回路又はソフトウェア形式の命令で遂行されてもよい。本願実施例に開示される方法の内容はハードウェアプロセッサで遂行し、又はプロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０はメモリ６４０における情報を読み取り、ハードウェアと組み合わせて上記方法の内容を遂行する。重複を避けるために、ここでは更に詳しく説明しない。
【００９０】
１つの具体的な実施形態では、端末装置４００における測位ユニットは、図７におけるプロセッサ６３０によって実現されてもよく、端末装置４００における送信ユニットは、図７における出力インタフェース６２０によって実現されてもよい。
【００９１】
図８に示すように、本願実施例は更に測位管理機能エンティティ７００を提供し、該測位管理機能エンティティ６００は図６における測位管理機能エンティティ５００であってもよく、図４における方法３００に対応する測位管理機能エンティティの内容を実行することに用いられることができる。該測位管理機能エンティティ６００は、入力インタフェース６１０、出力インタフェース６２０、プロセッサ６３０、及びメモリ６４０を含み、該入力インタフェース６１０、出力インタフェース６２０、プロセッサ６３０及びメモリ６４０はバスシステムによって互いに接続されてもよい。該メモリ６４０は、プログラム、命令又はコードを記憶することに用いられる。該プロセッサ６３０は、該メモリ６４０における、入力インタフェース６１０の信号受信を制御し、出力インタフェース６２０の信号送信を制御し、そして前述の方法実施例での動作を遂行するためのプログラム、命令又はコードを実行することに用いられる。
【００９２】
従って、本願実施例の測位管理機能エンティティは、測位するためのＲＡＴと測位メッセージを送信するためのＲＡＴをデカップリングすることで、測位操作の柔軟性向上により利する。
【００９３】
理解されるように、本願実施例において、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェア構成要素等であってもよい。汎用プロセッサはマイクロプロセッサであってもよく、又は該プロセッサは更に如何なる通常のプロセッサ等であってもよい。
【００９４】
該メモリ６４０は読み取り専用メモリ及びランダムアクセスメモリを含んでもよく、そしてプロセッサ６３０に命令及びデータを提供する。メモリ６４０の一部には更に不揮発性ランダムアクセスメモリが含まれてもよい。例えば、メモリ６４０は更に装置タイプの情報を記憶してもよい。
【００９５】
実現過程において、上記方法の各内容はプロセッサ６３０におけるハードウェアの集積論理回路又はソフトウェア形式の命令で遂行されてもよい。本願実施例に開示される方法の内容はハードウェアプロセッサで遂行し、又はプロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０はメモリ６４０における情報を読み取り、ハードウェアと組み合わせて上記方法の内容を遂行する。重複を避けるために、ここでは更に詳しく説明しない。
【００９６】
１つの具体的な実施形態では、測位管理機能エンティティ５００における測位ユニット及び選択ユニットは図８における出力インタフェース７２０によって実現されてもよく、測位管理機能エンティティ５００における受信ユニットは図８における入力インタフェース７１０によって実現されてもよい。
【００９７】
当業者が意識できるように、本明細書に開示される実施例で記載される各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【００９８】
当業者が明確に理解できるように、説明を容易且つ簡単にするために、上記説明されたシステム、装置及びユニットの具体的な動作過程は、前述の方法実施例における対応する過程を参照でき、ここでは詳細な説明は省略する。
【００９９】
本願に係る幾つかの実施例において、理解されるように、開示されるシステム、装置及び方法は他の方式で実現されてもよい。例えば、上記の装置実施例は単に模式的なものであり、例えば、該ユニットの区分は論理的な機能区分に過ぎず、実際の実施では別の区分方式があってもよく、例えば、複数のユニット又はコンポーネントが組み合わせられても、又は別のシステムに統合されてもよく、又は一部の特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１００】
分離部材として説明された該ユニットは物理的に分離したものであってもでなくてもよく、ユニットとして表示された部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１０１】
また、本発明の各実施例において、各機能ユニットは１つの処理ユニットに統合されてもよく、各ユニットは独立して物理的に存在してもよく、２つ又は２つ以上のユニットが１つのユニットに統合されてもよい。
【０１０２】
該機能がソフトウェア機能ユニットの形で実現され、そして独立した製品として販売又は使用される場合、コンピュータ読み取り可能な記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は１つの記憶媒体に記憶され、そして該コンピュータソフトウェア製品は、１台のコンピュータ装置（パーソナルコンピュータ、サーバ又はネットワーク装置等であってもよい）に本願の各実施例の全部又は一部のステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１０３】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021510042.tif 000003
【図２】
2021510042.tif 000004
【図３】
2021510042.tif 000005
【図４】
2021510042.tif 000006
【図５】
2021510042.tif 000007
【図６】
2021510042.tif 000008
【図７】
2021510042.tif 000009
【図８】
2021510042.tif 000010
【手続補正書】
【提出日】令和2年7月8日(2020.7.8)
【手続補正１】
【補正対象書類名】明細書
【補正対象項目名】００３３
【補正方法】変更
【補正の内容】
【００３３】
理解されるように、本願実施例の技術案は、各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ）システム、ＬＴＥ周波数分割二重接続（ＦＤＤ、Ｆｒｅｑｕｅｎｃｙ  Ｄｉｖｉｓｉｏｎ  Ｄｕｐｌｅｘ）システム、ＬＴＥ時分割二重（ＴＤＤ、Ｔｉｍｅ  Ｄｉｖｉｓｉｏｎ  Ｄｕｐｌｅｘ）システム、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ、Ｎｅｗ  Ｒａｄｉｏ）、又は将来の５Ｇシステム等に適用できる。
【手続補正２】
【補正対象書類名】特許請求の範囲
【補正対象項目名】全文
【補正方法】変更
【補正の内容】
【特許請求の範囲】
【請求項１】
マルチコネクティビティネットワークにおける測位方法であって、
端末装置が第１無線アクセス技術（ＲＡＴ）を介して前記端末装置の位置を確定することと、
前記端末装置がエアインタフェースにおいて第２ＲＡＴのシグナリングを使用することによって、前記端末装置の測位メッセージを測位管理機能エンティティに送信することと、を含み、
前記端末装置の測位メッセージは、
前記第１ＲＡＴに対応する第１ノードのセルの第１測位パラメータと、
前記第２ＲＡＴに対応する第２ノードのセルの第２測位パラメータと、を含むことを特徴とする測位方法。
【請求項２】
前記第１ノードは、前記マルチコネクティビティネットワークにおける、前記端末装置にサービスを提供するセカンダリノードであることを特徴とする請求項１に記載の測位方法。
【請求項３】
前記第２ノードは、前記マルチコネクティビティネットワークにおける、前記端末装置にサービスを提供するプライマリノードであることを特徴とする請求項１又は２に記載の測位方法。
【請求項４】
前記端末装置がエアインタフェースにおいて第２ＲＡＴのシグナリングを使用することによって、前記端末装置の測位メッセージを測位管理機能エンティティに送信することは、
前記端末装置が前記プライマリノードの無線リソース制御（ＲＲＣ）層を介して、前記端末装置の測位メッセージを前記測位管理機能エンティティに送信することを含むことを特徴とする請求項３に記載の測位方法。
【請求項５】
前記端末装置の測位メッセージは、アップリンク・ダウンリンク到着時間差（ＴＤｏＡ）、セル識別子（ＩＤ）のうちの少なくとも１つのパラメータを含むことを特徴とする請求項１〜４のいずれか１項に記載の測位方法。
【請求項６】
前記第１ＲＡＴはロングタームエボリューション（ＬＴＥ）であり、前記第２ＲＡＴは新しいエアインタフェース（ＮＲ）であることを特徴とする請求項１〜５のいずれか１項に記載の測位方法。
【請求項７】
前記測位メッセージは、第１ノードの複数のセルの複数の測位パラメータを含むことを特徴とする請求項１〜６のいずれか１項に記載の測位方法。
【請求項８】
マルチコネクティビティネットワークにおける測位方法であって、
測位管理機能エンティティが、端末装置がエアインタフェースにおいて第２無線アクセス技術（ＲＡＴ）のシグナリングを使用することによって送信した前記端末装置の測位メッセージを受信することと、
前記測位管理機能エンティティが前記端末装置の測位メッセージに基づいて、前記端末装置に対して測位を行うことと、を含み、
前記端末装置の測位メッセージは、
第１ＲＡＴに対応する第１ノードのセルの第１測位パラメータと、
前記第２ＲＡＴに対応する第２ノードのセルの第２測位パラメータと、を含み、
前記端末装置は前記第１ＲＡＴを介して測位を行うことを特徴とする測位方法。
【請求項９】
前記第１ノードは、前記マルチコネクティビティネットワークにおける、前記端末装置にサービスを提供するセカンダリノードであることを特徴とする請求項８に記載の測位方法。
【請求項１０】
前記第２ノードは、前記マルチコネクティビティネットワークにおける、前記端末装置にサービスを提供するプライマリノードであることを特徴とする請求項８又は９に記載の測位方法。
【請求項１１】
前記端末装置の測位メッセージは複数のセルのうちの複数のセルの複数の測位パラメータを含み、前記方法は更に、
前記測位管理機能エンティティが前記複数のセルからターゲットセルを選択することを含み、
前記測位管理機能エンティティが前記端末装置の測位メッセージに基づいて前記端末装置に対して測位を行うことは、
前記測位管理機能エンティティが前記ターゲットセルの測位パラメータに基づいて、前記端末装置に対して測位を行うことを含むことを特徴とする請求項８〜１０のいずれか１項に記載の測位方法。
【請求項１２】
前記端末装置の測位メッセージは、アップリンク・ダウンリンク到着時間差（ＴＤｏＡ）、セル識別子（ＩＤ）のうちの少なくとも１つのパラメータを含むことを特徴とする請求項８〜１１のいずれか１項に記載の測位方法。
【請求項１３】
前記測位メッセージは、第１ノードの複数のセルの複数の測位パラメータを含むことを特徴とする請求項８〜１２のいずれか１項に記載の測位方法。
【請求項１４】
端末装置であって、請求項１〜７のいずれか１項に記載の方法を実行することに用いられる端末装置。
【請求項１５】
測位管理機能エンティティであって、請求項８〜１３のいずれか１項に記載の方法を実行することに用いられる測位管理機能エンティティ。
【国際調査報告】
2021510042.tif 000011
2021510042.tif 000012
2021510042.tif 000013
2021510042.tif 000014